【手続補正書】
【提出日】平成17年7月22日(2005.7.22)
【手続補正１】
【補正対象書類名】明細書
【補正対象項目名】全文
【補正方法】変更
【補正の内容】
【書類名】      明細書
【発明の名称】      金庫の盗難防止機構
【特許請求の範囲】
【請求項１】  側部、天部及び底部の各内壁と各外壁間にそれぞれ耐火材を設けてなる金庫を設置面に固定する金庫の盗難防止機構であって、前記金庫底部の内壁と外壁にそれぞれ設けた開口部にその上下端を固定し、流動体が流入しうる流入口を所定部位に設けた補強パイプに、アンカーボルトを挿し込んで、その先端を、外壁の開口部から下方に突出して、設置面に前記アンカーボルトにより固定するように構成した金庫の盗難防止機構。
【請求項２】  脚部を備えるとともに、側部、天部及び底部の各内壁と各外壁間にそれぞれ耐火材を設けてなる金庫を設置面に固定する金庫の盗難防止機構であって、前記金庫設置面にアンカーボルトにより固定する固定用ブラケットと、前記金庫底部の内壁と外壁にそれぞれ設けた開口部にその上下端を固定し、流動体が流入しうる流入口を所定部位に設けた補強パイプに、アンカーボルトを挿し込んで、その先端を、外壁の開口部から下方に突出して、前記固定用ブラケットに連繋する連繋ボルトとからなる金庫の盗難防止機構。
【請求項３】  側部、天部及び底部の各内壁と各外壁間にそれぞれ耐火材を設けてなる金庫を設置面に固定する金庫の盗難防止機構であって、前記金庫底部の外壁に設けた開口部に一端側を固定し、他端側は前記金庫底部の内壁に設けた透孔を形成する予定部に対応させて、流動体が流入しうる流入口を所定部位に設けた補強パイプと、前記予定部に形成した透孔から前記補強パイプに挿し込んで、その先端を、外壁の開口部から下方に突出させて、設置面にアンカーボルトにより固定するように構成した金庫の盗難防止機構。
【請求項４】  脚部を備えるとともに、側部、天部及び底部の各内壁と各外壁間にそれぞれ耐火材を設けてなる金庫を設置面に固定する金庫の盗難防止機構であって、前記金庫設置面にアンカーボルトにより固定する固定用ブラケットと、前記金庫底部の外壁に設けた開口部に一端側を固定し、他端側は前記金庫底部の内壁に設けた透孔を形成する予定部に対応させて、流動体が流入しうる流入口を所定部位に設けた補強パイプと、前記予定部に形成した透孔から前記補強パイプに挿し込んで、その先端を、外壁の開口部から下方に突出して前記固定用ブラケットに連繋する連繋ボルトとからなる金庫の盗難防止機構。
【請求項５】  請求項３又は請求項４に記載の内壁における透孔を形成する予定部には、所定以上の力をかけると破断する弱化部を設けたことを特徴とする金庫の盗難防止機構。
【請求項６】  連繋ボルトは、その先端側に雄螺旋を設ける一方、固定用ブラケットは、前記雄螺旋が螺合するナット部材を設けた上固定金具と、この上固定金具の下側に分離可能に配置した所定高さの下固定金具とから構成し、アンカーボルトを、前記上固定金具と下固定金具とを貫通させて金庫設置面に埋め込むことによって、金庫設置面に固定するように構成したことを特徴とする請求項４に記載の金庫の盗難防止機構。
【請求項７】  固定用ブラケットの上固定金具に、アンカーボルトの頭部を遮蔽する遮蔽部を設けたことを特徴とする請求項６に記載の金庫の盗難防止機構。
【発明の詳細な説明】
【０００１】
【発明が属する技術分野】
近年、金庫ごと移動して持ち去るという盗難が増加しているが、本発明は、このような金庫の盗難を防止するための盗難防止機構に係り、特に、内壁と外壁間に耐火材を充てんしてなる金庫に適用するものに関する。
【０００２】
【従来の技術】
従来、天部、各側部及び底部のそれぞれの内壁、外壁間に耐火材を充てんした一般の金庫を、盗難防止のために床に固定するには、設置現場において、前記金庫底部に孔をあけ、前記内壁の孔にワッシャを介してアンカーボルトを挿し込み、該アンカーボルト先端をブラケットなどを介して、あるいは直接、床に埋め込んでいた。また、金庫の製造段階において、床に固定する機構を有するものも提案されているが、この固定機構は、内壁がアンカーボルトの締めつけで変形しないように、内壁の孔周囲に補強ワッシャを設けたり、内壁と外壁間を連結する補強パイプを、耐火材を充てんする前段階で各孔周囲に両端を溶接することによって配置し、孔周囲の内壁が下方に潰れないように補強するというものであった。そして、設置面への固定に際しては、金庫内側から前記補強パイプにアンカーボルトを挿し込み、該アンカーボルト先端をブラケットなどを介して、あるいは直接、床に埋め込むというものであった。
【０００３】
【発明が解決しようとする課題】
上記の、設置現場で、金庫底部に貫通孔をあける方法は、アンカーボルトの頭部を締めつけた際に底部内壁を変形させることが多いほか、貫通孔をドリルなどで開ける際に、内壁と外壁間の耐火材を崩すことが多いとともに、一般の金庫として製造した後に、床固定用に改造するので、作業者の技量差が原因で、床固定強度や耐火性などに係る品質にばらつきが出やすいという問題があった。また、上記固定機構を備える固定専用の金庫は、製造工程において流動性の耐火材を充てんするときに、上下端を内壁と外壁に各溶着した補強パイプ内には前記耐火材が流入しないので、この部分の耐火性が低下するという問題があった。
【０００４】
【課題を解決するための手段】
上記目的を達成するために、請求項１に記載の本発明は、側部、天部及び底部の各内壁と各外壁間にそれぞれ耐火材を設けてなる金庫を設置面に固定する金庫の盗難防止機構であって、前記金庫底部の内壁と外壁にそれぞれ設けた開口部にその上下端を固定し、流動体が流入しうる流入口を所定部位に設けた補強パイプに、アンカーボルトを挿し込んで、その先端を、外壁の開口部から下方に突出して、設置面に前記アンカーボルトにより固定するように構成したものである。
【０００５】
また、請求項２に記載の本発明は、脚部を備えるとともに、側部、天部及び底部の各内壁と各外壁間にそれぞれ耐火材を設けてなる金庫を設置面に固定する金庫の盗難防止機構であって、前記金庫設置面にアンカーボルトにより固定する固定用ブラケットと、前記金庫底部の内壁と外壁にそれぞれ設けた開口部にその上下端を固定し、流動体が流入しうる流入口を所定部位に設けた補強パイプに、アンカーボルトを挿し込んで、その先端を、外壁の開口部から下方に突出して、前記固定用ブラケットに連繋する連繋ボルトとからなるものである。
【０００６】
また、請求項３に記載の本発明は、側部、天部及び底部の各内壁と各外壁間にそれぞれ耐火材を設けてなる金庫を設置面に固定する金庫の盗難防止機構であって、前記金庫底部の外壁に設けた開口部に一端側を固定し、他端側は前記金庫底部の内壁に設けた透孔を形成する予定部に対応させて、流動体が流入しうる流入口を所定部位に設けた補強パイプと、前記予定部に形成した透孔から前記補強パイプに挿し込んで、その先端を、外壁の開口部から下方に突出させて、設置面にアンカーボルトにより固定するように構成したものである。
【０００７】
また、請求項４に記載の本発明は、脚部を備えるとともに、側部、天部及び底部の各内壁と各外壁間にそれぞれ耐火材を設けてなる金庫を設置面に固定する金庫の盗難防止機構であって、前記金庫設置面にアンカーボルトにより固定する固定用ブラケットと、前記金庫底部の外壁に設けた開口部に一端側を固定し、他端側は前記金庫底部の内壁に設けた透孔を形成する予定部に対応させて、流動体が流入しうる流入口を所定部位に設けたた補強パイプと、前記予定部に形成した透孔から前記補強パイプに挿し込んで、その先端を、外壁の開口部から下方に突出して前記固定用ブラケットに連繋する連繋ボルトとからなるものである。
【０００８】
また、請求項５に記載の本発明は、上記請求項３又は請求項４に記載の発明の構成において、内壁における透孔を形成する予定部には、所定以上の力をかけると破断する弱化部を設けたことを特徴とするものである。
【０００９】
また、請求項６に記載の本発明は、上記請求項４に記載の発明の構成において、連繋ボルトは、その先端側に雄螺旋を設ける一方、固定用ブラケットは、前記雄螺旋が螺合するナット部材を設けた上固定金具と、この上固定金具の下側に分離可能に配置した所定高さの下固定金具とから構成し、アンカーボルトを、前記上固定金具と下固定金具とを貫通させて金庫設置面に埋め込むことによって、金庫設置面に固定するように構成したことを特徴とするものである。そして、前記下固定金具の高さは、脚部の車輪を外した状態で金庫を床に固定するために、固定用ブラケットを、下固定金具を用いず、上固定金具のみで構成することを考慮して、脚部の軸受下端と車輪下端（設置面）間の距離と同一にする。
【００１０】
また、請求項７に記載の本発明は、上記請求項６に記載の発明の構成において、固定用ブラケットの上固定金具に、アンカーボルトの頭部を遮蔽する遮蔽部を設けたことを特徴とするものである。
【００１１】
【発明の実施の形態】
次に、本発明の好適な第１の実施形態を添付図面の図１〜図４に基いて詳細に説明する。ここにおいて、図１は金庫を床に固定した状態を示す正面図、図２は同じく平面図、図３は要部を縦断して示す部分縦断拡大正面図、図４は同じく部分縦断拡大側面図である。
【００１２】
図１〜図４に示すように、盗難防止機構１は、脚部２を有するとともに、各側部２４、天部２５及び底部３において、それらの内壁４と外壁５間に耐火材６を設けてなる金庫７に適用するもので、前記底部３と金庫設置面である、例えばコンクリート製の床８との間に配置し、前記床８に埋め込むアンカーボルト９により固定する固定用ブラケット１０と、前記外壁５に設けた開口部１１縁に一端を固着し、前記開口部１１に対応位置するように内壁４に設けた透孔１２を形成する予定部に向けて他端を伸ばした補強パイプ１３と、前記予定部に形成した透孔１２から前記補強パイプ１３に挿し込んで、その先端を、外壁５の開口部１１から下方に突出して前記固定用ブラケット１０に連繋する連繋ボルト１４とからなる。前記脚部２は、金庫底部３の四隅に配置され、それぞれ軸受２ａに移動用の車輪２ｂを付設してある。また、前記耐火材６は、製造工程において、流動性を有するものを内壁４と外壁５間に充てんし、時間をおくことによって固化させるものである。
【００１３】
図４に示すように、内壁４における透孔１２を形成する予定部には、所定以上の力で叩くなどして破断する当初閉鎖状態にある弱化部１２ａを設ける。また、前記補強パイプ１３は、その上下端を開放したもので、その上端と前記弱化部１２ａとの間に、流動性を有する耐火材の流入口たる間隙１５が形成されるように、内壁４と外壁５間の距離より若干短く形成する。そして、前記間隙１５は、金庫の製造工程において、流動性を有する耐火材６を充てんする際に、前記補強パイプ１３内にも耐火材６が流入するように設けるものである。また、金庫の製造時あるいは出荷時には、前記補強パイプ１３の下端にキャップ（図示せず）を嵌めてある。前記のように補強パイプ１３内にも耐火材６を充てんするのは、後述するところの、金庫７を床８に固定せずに使用する場合に耐火性を低下させないためである。前記耐火材６は、気泡を含んだセメントと水を混ぜた流動性を有するものを使用する。なお、この耐火材６は、発泡するタイプのものを使用してもよい。
【００１４】
図４に示すように、金庫７の底部３と固定用ブラケット１０を連繋するには、金庫７の扉を開けて底部３の内壁４の各弱化部１２ａを所定以上の力で叩いて破断して除去し、透孔１２を形成するとともに、前記補強パイプ１３のキャップ（図示せず）を外し、ドリルなどで間隔１５と補強パイプ１３内部の各耐火材６を除去するように孔をあけ、連繋ボルト１４を前記透孔１２とこの孔に挿し込んで、下端を固定用ブラケット１０に連繋するのである。
【００１５】
図３及び図４に示すように、連繋ボルト１４の先端（下端）側には雄螺旋を設ける。また、固定用ブラケット１０は、前記雄螺旋に螺合するナット部材１６を設けた上固定金具１７と、必要に応じてこの上固定金具１７の下側に分離可能に配置する、所定の高さを有する下固定金具１８とから構成し、アンカーボルト９を前記上固定金具１７と下固定金具１８とに貫通させて床８に埋没させることによって、床８に固定するように構成する。
【００１６】
図４に示すように、上固定金具１７は、金属板材を折曲して成形するもので、その中央に上面が平らな山部１９を形成し、ここに前記ナット部１６を設けるとともに、両側端を延ばしてＵ字状部２０を形成し、該Ｕ字状部２０の底部には、アンカーボルト９を挿入するためのボルト孔２１を設けたものである。そして、この上固定金具１７のＵ字状部２０の両側板２０ａ及びこれと直交する両側板２０ｂは、アンカーボルト９の頭部を遮蔽する遮蔽部となり、この遮蔽部である各両側板２０ａ，２０ｂによって、窃盗犯が、両側板２０ａ，２０ｂの外側からレンヂなどを入れ、アンカーボルト９の頭部を回転してアンカーボルト９を取り去ることを防ぐものである。
【００１７】
図３及び図４に示すように、下固定金具１８は、上固定金具１７と同様に、金属板材を折曲して成形するもので、両端をアングル状に折曲して所定の高さに形成するとともに、上固定金具１７の上に載せたときに上固定金具１７のボルト孔２１に対応位置するように、ボルト孔２２を設ける。また、前記下固定金具１８の高さは、前述の脚部２における、軸受２ａ下端と車輪２ｂ下端間の距離、換言すると軸受２ａ下端と床８との距離と同一にする。なお、図４中、符号２３は、筒状のアンカースペーサーである。
【００１８】
ここで、金庫７の脚部２に車輪２ｂを設けることは、運搬などの取り扱いを容易にするものであるが、一旦設置した後に金庫７の安定性や防盗性を考慮して、この車輪２ｂを外す場合がある。この場合には、前述ような高さをもつ下固定金具１８を取り除いて、上固定金具１７のみを使用することにより、脚部２の軸受２ａで金庫７を床８に設置することが可能である。
【００１９】
以下に、上記のような盗難防止機構１をもつ金庫７の設置手順を説明する。金庫設置面である床８の所定場所に二対のアンカーホールをあけ、下固定金具１８の上に上固定金具１７を、それぞれのボルト孔２２，２１が対応位置するように重ねた固定用ブラケット１０を、前記各アンカーホールの上にアンカースペーサー２３を配置するとともに、前記ボルト孔２１，２２が一致するように配置する。次に、アンカーボルト９を、前記ボルト孔２１，２２からアンカースペーサー２３を挿通してアンカーホールに埋め込み、固定用ブラケット１０を床８に固定する。続いて、金庫７の扉を開き、底部３の内壁４に設けた一対の弱化部１２ａを叩いて破断して除去し、透孔１２となすとともに、底部７の外壁５側から各補強パイプ１３下端に嵌められているキャップ（図示せず）を外した後、車輪２ｂを取り付けた状態の金庫７を押して、車輪２ｂの転がりで移動させ、前記固定用ブラケット１０の上に底部３を位置させ、該底部３の前記各透孔１２を前記固定用ブラケット１０の一対のナット部材１６の真上に位置決めする。なお、あらかじめ各補強パイプ１３内の耐火材６を外部に排出しておくと位置決めしやすい。前記位置決めした後は、連繋ボルト１４先端をワッシャ１４ａを介して前記透孔１２から補強パイプ１３に挿し込み、連繋ボルト１４をレンヂで回転してその雄螺旋を、ナット部材１６に螺合する。このようにして、金庫７は、その底部３と固定用ブラケット１０を介して連繋ボルト１４とアンカーボルト９によって床８に固定される。そして、この固定状態においては、両側板２０ａ，２０ｂがアンカーボルト９の頭部を遮蔽する遮蔽部材となって、床８と金庫７の底部３間からレンヂを挿し込んでも前記両側板２０ａ，２０ｂ（遮蔽部材）がじゃまをしてアンカーボルト９の頭部を操作することが不可能である。したがって、金庫７ごと移動して持ち去るという盗難を確実に防止しうる。
【００２０】
また、脚部２の車輪２ｂを外した状態で金庫７を設置する場合は、固定用ブラケット１０を、下固定金具１８を用いず、上固定金具１７のみで構成して、アンカーボルト９で設置面８に固定するとともに、車輪２ｂを取り付けた状態の金庫７を押して、前記固定用ブラケット１０の上に移動させた後、車輪２ｂを外すものであり、その他の固定方法は、前述の車輪２ｂを付けた状態における固定方法と同一であるので、詳細な説明は省略する。
【００２１】
次に、本発明の第２の実施形態を添付図面の図５に基いて説明する。ここにおいて図５は要部を縦断して示す部分縦断拡大側面図である。
【００２２】
図５に示すように、金庫５０は、脚部を備えず、側部５１、天部及び底部５２の各内壁５３と各外壁５４間にそれぞれ耐火材５５を設けてなり、その盗難防止機構は、前記底部５２の外壁５５に設けた開口部５６に一端側を固定し、他端側は前記底部５２の内壁５３に設けた透孔５７を形成する予定部に所定間隙６１をおいて対応させた補強パイプ５８と、前記予定部に形成した弱化部を破断して形成した透孔５７から前記補強パイプ５８に挿し込んで、その先端を、前記開口部５５から下方に突出させて、設置面である床５９にアンカーボルト６０により固定するように構成するものである。
【００２３】
上記金庫５０は、底部５２と床５９間に金鋸などを挿し込む隙間がなく、アンカーボルト６０を切断することが不可能なので、金庫５０ごと移動して持ち去るという盗難を確実に防止する。
【００２４】
続いて、本発明の第３の実施形態を添付図面の図６に基いて説明する。ここにおいて、図６は要部を縦断して示す部分縦断拡大側面図である。
【００２５】
図６に示すように、金庫１００の盗難防止機構は、底部１０１の内壁１０２と外壁１０３にあらかじめ開口部１０４，１０５を設け、この開口部１０４，１０５周縁にその上下端を溶接固定し、流動体が流入しうる流入口１０６を有する補強パイプ１０７に、アンカーボルト（図示せず）を挿し込んで、その先端を、前記外壁１０３の開口部１０４から下方に突出して、設置面に前記アンカーボルトにより固定するように構成したものである。製造時において前記金庫１００は、補強パイプ１０７の上端部を上キャップ１０８で閉じて倒立状態となし、耐火材１１０を充てんした後に、下端部を下キャップ１０９で閉じるもので、この充てんの際に、該耐火材１１０は流入口１０６を通って補強パイプ１０７内にも充てんされ、金庫１００を固定仕様としないときにも耐火性が確保されるものである。なお、前記耐火材１１０の充てん作業では、補強パイプ１０７の上下端部を上キャップ１０８、下キャップ１０９で閉じて、金庫１００を倒立状態となして行う場合もある。
【００２６】
なお、本発明は、上記各実施形態になんら限定されるものではなく、例えば、上記各金庫７，５０，１００の設置面は、床８，５９ではなく、コンクリートの台や棚などであってもよい。また、脚部２を備えた金庫７における盗難防止機構の場合は、固定用ブラケット１０を複数配置したり、大きく形成して、連繋ボルト１４あるいはアンカーボルト９の数を増やして固定力を強化してもよい。また、第１及び第２の実施形態において、流動性を有する耐火材６，５５の流入口は、底部内壁４と補強パイプ１３の間隙１５、あるいは底部内壁５３と補強パイプ５８の間隙６１とは異なる位置に設けた流入口であってもよく、この場合には、補強パイプ１３，５８の上端は透孔１２，５７の予定部に形成した弱化部１２ａに対応して内壁４，５３と当接するものであり、弱化部１２ａが目安となって位置決めが容易である。
【００２７】
【発明の効果】
以上説明したように、請求項１に記載の本発明によれば、金庫底部と設置面間に金鋸などを挿し込む隙間がなく、アンカーボルトを切断することが不可能なので、金庫ごと移動して持ち去るという盗難を確実に防止しうるほか、金庫底部の内壁と外壁にそれぞれ設けた開口部にその上下端を固定し、流動体が流入しうる流入口を所定部位に設けた補強パイプを有するので、底部内壁を損傷することなく金庫を設置面に固定でき、また、金庫製造時に、補強パイプ内に前記流入口から耐火材が入り込み、金庫を固定仕様としないときにも耐火性を確保できるという効果を奏する。
【００２８】
また、請求項２に記載の本発明によれば、金庫を設置面に固定用ブラケットによって固定するので、金庫ごと移動して持ち去るという盗難を防止しうるほか、金庫設置面にアンカーボルトにより固定する固定用ブラケットと、前記金庫底部の内壁と外壁にそれぞれ設けた開口部にその上下端を固定し、流動体が流入しうる流入口を有する補強パイプを設けたので、設置面にアンカーボルトで固定した固定ブラケットに連繋ボルトを容易かつ確実に連繋することができ、さらに、底部内壁を損傷することなく金庫を設置面に固定でき、また、補強パイプは、流動体が流入しうる流入口を設けたので、金庫製造時に、補強パイプ内に前記流入口から耐火材が入り込み、金庫を固定仕様としないときにも耐火性を確保できるという効果を奏する。
【００２９】
また、請求項３に記載の本発明によれば、金庫底部と設置面間に金鋸などを挿し込む隙間がなく、アンカーボルトを切断することが不可能なので、金庫ごと移動して持ち去るという盗難を確実に防止しうるほか、底部の内壁と外壁間にアンカーボルトを挿通する補強パイプを設けたので、底部内壁を損傷することなく金庫を設置面に固定でき、また、透孔は当初閉鎖状態にあるので、そのままの状態で金庫を設置面に固定しない仕様とすることが可能であり、さらに、補強パイプには、流動体が流入しうる流入口を設けたので、金庫製造時に、補強パイプ内に前記流入口から耐火材が入り込み、金庫を固定仕様としないときにも耐火性を確保できるという効果を奏する。
【００３０】
また、請求項４に記載の本発明によれば、金庫を設置面に固定用ブラケットによって固定するので、金庫ごと移動して持ち去るという盗難を防止しうるほか、底部の内壁と外壁間に設けた補強パイプを利用して、設置面にアンカーボルトで固定した固定ブラケットに連繋ボルトを容易かつ確実に連繋することができ、さらに、底部内壁を損傷することなく金庫を設置面に固定でき、また、透孔は当初閉鎖状態にあるので、そのままの状態で金庫を設置面に固定しない仕様とすることが可能であり、さらに、補強パイプは、流動体が流入しうる流入口を設けたので、金庫製造時に、補強パイプ内に前記流入口から耐火材が入り込み、金庫を固定仕様としないときにも耐火性を確保できるという効果を奏する。
【００３１】
また、請求項５に記載の本発明によれば、請求項３又は請求項４に記載の本発明の効果に加えて、底部の内壁に弱化部を設けて当初は透孔を閉鎖しているので、そのままの状態で金庫を設置面に固定しない仕様とすることが可能であるうえ、前記弱化部は、所定の力で破断できるので、透孔を作成する加工が容易で、作業者の技量差による品質のばらつきが出ないという効果を奏する。
【００３２】
また、請求項６に記載の本発明によれば、請求項４に記載の本発明の効果に加えて、固定用ブラケットを構成する上固定金具と下固定金具を分離可能となしたので、下固定金具を所定高さとするにより、これを取り除けば、車輪を脚部から外して金庫を設置面に固定することが可能であるという効果を奏する。
【００３３】
さらに、請求項７に記載の本発明によれば、請求項６に記載の本発明の効果に加えて、アンカーボルトの頭部を遮蔽する遮蔽部を設けたので、この遮蔽部材がじゃまをして、外部からアンカーボルトの頭部を操作することが不可能であり、金庫ごと移動して持ち去るという盗難をより効果的に防止しうるという効果を奏する。
【図面の簡単な説明】
【図１】
第１の実施形態における金庫を床に固定した状態を示す正面図。
【図２】
第１の実施形態における金庫を床に固定した状態を示す平面図。
【図３】
第１の実施形態における要部を縦断して示す部分縦断拡大正面図。
【図４】
第１の実施形態における要部を縦断して示す部分縦断拡大側面図。
【図５】
第２の実施形態における要部を縦断して示す部分縦断拡大側面図。
【図６】
第３の実施形態における要部を縦断して示す部分縦断拡大側面図。
【符号の説明】
１    盗難防止機構
２    脚部
２ａ    軸受
２ｂ    車輪
３    底部
４    内壁
５    外壁
６    耐火材
７    金庫
８    床
９    アンカーボルト
１０    固定用ブラケット
１１    開口部
１２ａ    弱化部
１２    透孔
１３    補強パイプ
１４    連繋ボルト
１５    間隙
１６    ナット部材
１７    上固定金具
１８    下固定金具
１９    凸部
２０    Ｕ字状部
２０ａ，２０ｂ    側板
２１    ボルト孔
２２    ボルト孔
２３    アンカースペーサー
２４    側部
２５    天部
５０    金庫
５１    盗難防止機構
５２    底部
５３    内壁
５４    外壁
５５    耐火材
５６    開口部
５７    透孔
５８    補強パイプ
５９    床
６０    アンカーボルト
６１    間隙
１００    金庫
１０１    底部
１０２    内壁
１０３    外壁
１０４    開口部
１０５    開口部
１０６    流入口
１０７    補強パイプ
１０８    上キャップ
１０９    下キャップ
１１０    耐火材